(57)【要約】【課題】収納時に嵩張らず、かつ機能性と美観を兼ね備えたロック装置の提供。【解決手段】ロック孔１４が設けられたロック本体１１と、複数のバー１２１を連結して成る帯状のバー連結体１２と、ロック本体１１に設置されたロック機構１３とを含み、バー連結体１２は第１端部１２２と第２端部１２３を備え、第１端部１２２がロック本体１１に連結され、第２端部１２３はロック孔１４内に抜挿可能であり、第２端部１２３をロック孔１４に挿入したとき、ロック機構１３で第２端部１２３をロック可能であり、ロック本体１１はシャフト１１１を有し、第２端部１２３がロックされていないとき、バー連結体１２をシャフト１１１の外側に巻回させてシャフト１１１を被覆可能としてある。【選択図】図１
0003171356.tif 000002
【実用新案登録請求の範囲】
【請求項１】
ロック孔が設けられたロック本体と、複数のバーを連結して成る帯状のバー連結体と、前記ロック本体に設置されたロック機構とを含み、前記バー連結体は第１端部と第２端部を備え、前記第１端部が前記ロック本体に連結され、前記第２端部は前記ロック孔内に抜挿可能であり、前記バー連結体の第２端部を前記ロック孔に挿入したとき、前記ロック機構で該第２端部を前記ロック本体にロック可能であり、前記ロック本体はシャフトを有し、前記バー連結体の前記第２端部がロックされていないとき、前記バー連結体を前記シャフトの外側に巻回させて前記シャフトを被覆可能としたことを特徴とする、ロック装置。
【請求項２】
前記ロック本体は、前記シャフトの両端にそれぞれ設置された第１端蓋体と第２端蓋体を備えたことを特徴とする、請求項１に記載のロック装置。
【請求項３】
前記複数のバーは相互に枢着されて連結されたことを特徴とする、請求項１に記載のロック装置。
【請求項４】
前記バーは、上下に重ね合わせると共に枢着されて連結されたことを特徴とする、請求項３に記載のロック装置。
【請求項５】
前記シャフトが円柱体を成し、且つ前記バーが前記シャフトの表面に沿う円弧凹面を備えたことを特徴とする、請求項３に記載のロック装置。
【請求項６】
前記ロック機構がキーロック機構またはナンバーセットロック機構であることを特徴とする、請求項１に記載のロック装置。
【請求項７】
前記ロック機構がボルトを備え、前記ロック機構の操作によって前記ボルトを、前記第２端部がロックされる前記ロック本体上のロック位置と、前記第２端部を解放するロック解除位置とに移動させることが可能であることを特徴とする、請求項１に記載のロック装置。
【請求項８】
前記バー連結体の前記第２端部に孔が設けられ、且つ前記第２端部を前記ロック孔内に挿入したとき、前記孔に前記ボルトを挿通させて前記第２端部をロック可能としたことを特徴とする、請求項７に記載のロック装置。
【請求項９】
前記ロック本体及び前記バー連結体の第２端部に位置決め突起と位置決め孔がそれぞれ設けられ、前記バー連結体を前記ロック本体に巻回させて前記シャフトを被覆した時に、前記位置決め突起と前記位置決め孔とが相互に嵌合して位置決めされることを特徴とする、請求項１に記載のロック装置。
【請求項１０】
前記バー連結体を前記シャフト外側に巻回させて前記シャフトを被覆したときの外観形状が円柱体または多辺形柱体を成すことを特徴とする、請求項１に記載のロック装置。
【考案の詳細な説明】
【技術分野】
【０００１】
本考案は、ロック本体とバー連結体を備え、特にバー連結体をロック本体の外側に巻回させてロック本体を被覆し、小型化することができる、ロック装置に関する。
【背景技術】
【０００２】
従来、ロック装置について、特許文献１に、主にロック本体（ｌｏｃｋ  ｂｏｄｙ）と複数のバーを連結して成るバー連結体（ｊｏｉｎｔ  ｂａｒ  ｈｏｏｐ）から構成されるロック装置が開示されている。このロック装置は使用しないときバー連結体を折りたたみ、収納時の体積を縮小している。類似のロック装置が特許文献２にも開示されている。
それ以前のＵ字形ロック装置には体積が大きいという欠点があるのに対し、上記従来のロック装置は収納時に体積を縮小できるという利点が確かにある。しかしながら、現在のロック装置は収納時の体積を縮小するという課題以外にもさらに改善すべき点がまだ存在し、ロック装置の収納後の外観も設計時に併せて考慮に入れるべきである。
【先行技術文献】
【特許文献】
【０００３】
【特許文献１】米国特許第７７１２３３９号明細書
【特許文献２】台湾特許Ｍ３５０４９５号明細書
【考案の概要】
【考案が解決しようとする課題】
【０００４】
本考案が解決しようとする課題は、収納時に嵩張らず、かつ機能性と美観を兼ね備えたロック装置を提供することにある。
【課題を解決するための手段】
【０００５】
本考案のロック装置は、ロック孔が設けられたロック本体と、複数のバーを連結して成る帯状のバー連結体と、前記ロック本体に設置されたロック機構とを含み、前記バー連結体は第１端部と第２端部を備え、前記第１端部が前記ロック本体に連結され、前記第２端部は前記ロック孔内に抜挿可能であり、前記バー連結体の第２端部を前記ロック孔に挿入したとき、前記ロック機構で該第２端部を前記ロック体にロック可能であり、前記ロック本体はシャフトを有し、前記バー連結体の前記第２端部がロックされていないとき、前記バー連結体を前記シャフトの外側に巻回させて前記シャフトを被覆可能としてある。
【０００６】
以下の構成を採用してもよい。
前記ロック本体は、前記シャフトの両端にそれぞれ設置された第１端蓋体と第２端蓋体を備えている。
前記複数のバーは相互に枢着されて連結される。
この場合、前記バーは、上下に重ね合わせると共に枢着されて連結される。
前記シャフトが円柱体を成し、且つ前記バーが前記シャフトの表面に沿う円弧凹面を備えている。
前記ロック機構がキーロック機構またはナンバーセットロック機構である。
【０００７】
前記ロック機構がボルトを備え、前記ロック機構の操作によって前記ボルトを、前記第２端部がロックされる前記ロック本体上のロック位置と、前記第２端部を解放するロック解除位置とに移動させることが可能である。
この場合、前記バー連結体の前記第２端部に孔が設けられ、且つ前記第２端部を前記ロック孔内に挿入したとき、前記孔に前記ボルトを挿通させて前記第２端部をロック可能としてある。
前記ロック本体及び前記バー連結体の第２端部に位置決め突起と位置決め孔がそれぞれ設けられ、前記バー連結体を前記ロック本体に巻回させて前記シャフトを被覆した時に、前記位置決め突起と前記位置決め孔とが相互に嵌合して位置決めされる。
前記バー連結体を前記シャフト外側に巻回させて前記シャフトを被覆したときの外観形状が円柱体または多辺形柱体を成す。
【考案の効果】
【０００８】
本考案のロック装置は、バー連結体をシャフトの外側に巻回させて収納することにより、収納時の体積を縮減できるだけでなく、同時に新規で体裁の良い収納スタイルを創造することができる。
【図面の簡単な説明】
【０００９】
【図１】実施例を示すロック装置のバー連結体を展開し、且つロック本体にロックされていない状態の斜視図である。
【図２】実施例を示すロック装置のバー連結体をロック本体にロックした状態の斜視図である。
【図３】実施例を示すロック装置のバー連結体をロック本体外側に巻回させて被覆した状態の斜視図である。
【図４】実施例を示すロック装置のバー連結体をロック本体外側に巻回させて被覆した状態の側面図である。
【考案を実施するための形態】
【００１０】
本考案のロック装置の具体的な実施例を図面に基づいて詳細に説明する。
ロック装置１は、ロック本体１１、帯状のバー連結体１２、ロック本体１１に設置されたロック機構１３を含む。
図１及び図２に示すように、ロック本体１１は、シャフト１１１と、シャフト１１１の両端にそれぞれ設置された第１端蓋体１１２及び第２端蓋体１１３を備え、シャフト１１１と第２端蓋体１１３の連接箇所にロック孔１４が設けられる。
【００１１】
バー連結体１２は複数のバー１２１を連結して成る。本実施例において、バー１２１は、端部を上下に重ね合わせると共に、相互に枢着して連結される。バー連結体１２の全長はバー１２１の数と長さによって決まる。
バー連結体１２は第１端部１２２と第２端部１２３を有し、第１端部１２２はロック本体１１の第１端蓋体１１２の縁部に取り外し不能に連結される。第２端部１２３はロック孔１４内に抜挿可能であり、ロック孔１４に挿入して連結することができる。図１に示すように、バー連結体１２の第２端部１２３には孔１２４が設けられ、且つ第２端部１２３をロック孔１４内に挿入して連結するとき、孔１２４にロック機構１３のボルト１３１を挿通させて第２端部１２３をロック本体１１にロックすることができる。
【００１２】
ロック本体１１に設置されたロック機構１３は、ボルト１３１を備え、バー連結体１２の第２端部１２３がロック本体１１のロック孔１４内に挿入されて連結されるとき（図２参照）、ロック機構１３の操作によってボルト１３１を第２端部１２３がロック本体１１上にロックされるロック位置まで移動させることができ、また、ロック機構１３を操作して、ボルト１３１を第２端部１２３が解放されるロック解除位置まで移動させることができる。
本実施例において、ロック機構１３はキーロック機構を例示しているが、ロック機構１３は一般的なナンバーセットロック機構を採用してもよい。
【００１３】
図１及び図２に示すように、ロック本体１１のシャフト１１１は円柱体であり、また、バー連結体１２を構成する各バー１２１の外観形状も、これに対応してシャフト１１１の表面に沿わせることができる円弧凹面１２５を備えている。本実施例において、バー１２１は湾曲した弧状のバーであり、円弧凹面１２５に相対する他方の一側は円弧凸面１２６となっている。
【００１４】
バー１２１の外観形状を湾曲した弧状とすることで、バー連結体１２の第２端部１２３が解放され、ロック装置１を収納したいときは、シャフト１１１を中心軸として複数のバー１２１を連結して構成されるバー連結体１２をシャフト１１１の外側に巻回させてシャフト１１１を被覆し、図３及び図４に示す収納状態を形成する。
【００１５】
図３から分かるように、収納完了後のロック装置１の全体外観は円柱体を成し、従来見受けられるロック装置とは明らかに異なるスタイルである。ここから分かるように、本考案は収納体積を縮減できるロック装置であり、且つ収納時に機能性と美観を兼ね備えたロック装置である。
なお、収納後のロック装置１の外観は本実施例で示した円柱体に限られず、ロック本体１１とバー連結体１２の組み合わせの変化によって、ロック装置１の収納状態を多辺形の柱体の外観とすることもできる。
【００１６】
バー連結体１２の緩みを防止し、巻回の動作を完了したロック装置１のバー連結体１２を固定して図３に示す外観の状態を維持することができるようにするため、ロック本体１１の第２端蓋体１１３及びバー連結体１２の第２端部１２３に位置決め突起１１４と位置決め孔１２７をそれぞれ設け、且つバー連結体１２をロック本体１１に巻回して被覆する動作が完了すると同時に、位置決め突起１１４と位置決め孔１２７を相互に嵌合させて位置決めし（図４参照）、バー連結体１２の第２端部１２３をロック本体１１の第２端蓋体１１３上に位置決めすることができる。
【００１７】
以上の説明は本考案の最良の実施例に関するものであり、本考案の実施の範囲を限定するものではなく、本考案の実用新案登録請求の範囲及び明細書の内容に基づいた同等の効果を有する変化や修飾はすべて本考案の権利範囲内に含まれる。
【符号の説明】
【００１８】
１        ロック装置
１１      ロック本体
１１１    シャフト
１１２    第１端蓋体
１１３    第２端蓋体
１１４    位置決め突起
１２      バー連結体
１２１    バー
１２２    第１端部
１２３    第２端部
１２４    孔
１２５    円弧凹面
１２６    円弧凸面
１２７    位置決め孔
１３      ロック機構
１３１    ボルト
１４      ロック孔
【図１】
0003171356.tif 000003
【図２】
0003171356.tif 000004
【図３】
0003171356.tif 000005
【図４】
0003171356.tif 000006